(57)【要約】【課題】映像表示装置において、不用意な操作により静止画表示が解除されないようにする。【解決手段】映像表示装置の制御部の静止画制御部は、ユーザにより静止画キーが押下されると（Ｓ１１）、動画像を静止画として表示画面の全画面に表示する（Ｓ１２）。静止画表示中に静止画キー又はその他の操作キーが押下操作されると（Ｓ２２：ＹＥＳ，Ｓ２３：ＹＥＳ）、制御部は、ＰｉｎＰ機能を実行し、表示画面に表示する画像の子画面中に静止画を表示する。全画面静止画表示中に静止画キーが所定時間（例えば、１秒間）連続して押下操作されるか（Ｓ２１：ＹＥＳ）、ＰｉｎＰ静止画表示中に静止画キーが長押し操作されると（Ｓ３１：ＹＥＳ）、静止画表示が解除され（Ｓ１５）、動画像の表示に戻る。【選択図】図１
2009049610.tif 000002
【特許請求の範囲】
【請求項１】
画像を表示するための表示部と、
装置本体に一体に又は装置本体とは別体に設けられ、ユーザにより操作可能な操作部と、
前記操作部の操作に応じて種々の動作を制御すると共に、前記表示部を用いて表示させる画像データを形成する制御部とを備え、
前記操作部は、複数の操作キーを有しており、
前記制御部は、前記操作部の所定の操作に応じて、動画像を静止画として前記表示部を用いて表示させる静止画制御部を有する映像表示装置において、
前記静止画制御部は、前記表示部を用いて前記静止画を表示させている状態で、前記操作キーが所定時間連続操作されたとき、前記表示部の静止画表示を解除することを特徴とする映像表示装置。
【請求項２】
前記静止画制御部は、
所定の操作キーの操作に応じて前記表示部を用いて前記静止画を表示させ、
前記静止画を表示させている状態で、前記所定の操作キーが所定時間連続操作されたとき、前記表示部の静止画表示を解除することを特徴とする請求項１記載の映像表示装置。
【請求項３】
前記制御部は、前記表示部を用いて表示させる画像の一部に、当該画像とは別の画像を表示するための子画面を設ける機能を有しており、
前記制御部は、前記静止画が表示されている状態で、前記操作キーが操作されたとき、当該静止画を前記子画面に表示させることを特徴とする請求項１又は請求項２に記載の映像表示装置。
【請求項４】
前記制御部は、前記子画面に前記静止画が表示されている状態で、前記所定の操作キーが操作されたとき、前記表示部を用いて当該静止画を全画面表示させることを特徴とする請求項３記載の映像表示装置。
【請求項５】
前記制御部は、前記静止画を前記子画面に表示させたとき、前記表示部を用いて表示させる画像の一部に、静止画表示の解除方法を示す操作案内表示を表示させることを特徴とする請求項３又は請求項４記載の映像表示装置。
【発明の詳細な説明】
【技術分野】
【０００１】
本発明は、表示画面に画像を表示する機能を有する映像表示装置に関し、特に動画像を静止画として表示し保持する機能を有するものに関する。
【背景技術】
【０００２】
近年、例えばテレビジョン放送受像機等の映像表示装置は、動画像中の１フレームの画像を静止画として表示し保持する静止画表示機能を有している。この静止画表示機能は、例えばリモートコントローラの所定の操作キーを押下することにより実行される。この静止画表示中に、例えば、所定の操作キーや他の操作キーが再度押下操作されると、静止画表示が解除され、通常の動画像表示が再開される。
【０００３】
ところで、従来の映像表示装置においては、例えば複数人で使用する場合に、一人が静止画表示をさせている状態で他人が操作キーを押下すると、当該他人にその意図がなくとも静止画表示が解除されてしまう。また、一人で使用中であっても、静止画表示中に誤って操作キーを押下すると、静止画表示が解除されてしまう。通常、このような映像表示装置には、静止画を表示するためのメモリは１画面分しか搭載されておらず、静止画表示が一旦解除されると、表示が解除された静止画を再度参照することができなくなる。
【０００４】
ここで、特許文献１には、テレビ受像機等において、アップダウンによる選局方式とダイレクトボタンによる選局方式との違いを感知し、静止画記憶モードの解除を制御する回路を設け、受信チャンネルを変更することによる意図しない静止画モード解除を防止することが開示されている。また、特許文献２には、表示画面に表示される複数画面のうち任意の画面の動画像を静止画像として表示すると共に、この静止画像が表示されている時に、複数画面の他の画面に表示されている動画像の映像信号が別の映像信号に切り替えられても、静止画像を保持するような信号処理を行うようにしたテレビ受信機の構成が開示されている。しかしながら、これら特許文献１又は特許文献２に記載のテレビ受像機において、静止画モードが解除されるのに対応する選局ボタンが誤って操作された場合には、静止画表示が意図せず解除されてしまう。
【特許文献１】特開昭６２‐２６４７８１号公報
【特許文献２】特開平８‐９８１０３号公報
【発明の開示】
【発明が解決しようとする課題】
【０００５】
本発明は、上記問題点を鑑みてなされたものであり、不用意な操作により静止画表示が解除されない映像表示装置を提供することを目的とする。
【課題を解決するための手段】
【０００６】
上記目的を達成するため、請求項１の発明は、画像を表示するための表示部と、装置本体に一体に又は装置本体とは別体に設けられ、ユーザにより操作可能な操作部と、前記操作部の操作に応じて種々の動作を制御すると共に、前記表示部を用いて表示させる画像データを形成する制御部とを備え、前記操作部は、複数の操作キーを有しており、前記制御部は、前記操作部の所定の操作に応じて、動画像を静止画として前記表示部を用いて表示させる静止画制御部を有する映像表示装置において、前記静止画制御部は、前記表示部を用いて前記静止画を表示させている状態で、前記操作キーが所定時間連続操作されたとき、前記表示部の静止画表示を解除するものである。
【０００７】
請求項２の発明は、請求項１の発明において、前記静止画制御部は、所定の操作キーの操作に応じて前記表示部を用いて前記静止画を表示させ、前記静止画を表示させている状態で、前記所定の操作キーが所定時間連続操作されたとき、前記表示部の静止画表示を解除するものである。
【０００８】
請求項３の発明は、請求項１又は請求項２の発明において、前記制御部は、前記表示部を用いて表示させる画像の一部に、当該画像とは別の画像を表示するための子画面を設ける機能を有しており、前記制御部は、前記静止画が表示されている状態で、前記操作キーが操作されたとき、当該静止画を前記子画面に表示させるものである。
【０００９】
請求項４の発明は、請求項３の発明において、前記制御部は、前記子画面に前記静止画が表示されている状態で、前記所定の操作キーが操作されたとき、前記表示部を用いて当該静止画を全画面表示させるものである。
【００１０】
請求項５の発明は、請求項３又は請求項４の発明において、前記制御部は、前記静止画を前記子画面に表示させたとき、前記表示部を用いて表示させる画像の一部に、静止画表示の解除方法を示す操作案内表示を表示させるものである。
【発明の効果】
【００１１】
請求項１の発明によれば、操作キーが所定時間連続操作（いわゆる長押し）されたときに静止画表示が解除されるので、静止画表示中に不用意に操作キーが操作されて静止画表示が解除されることを防止することができる。
【００１２】
請求項２の発明によれば、静止画表示させる際に操作される所定の操作キーが所定時間連続操作されたときに静止画表示が解除されるので、不用意に操作キーが操作されて静止画表示が解除されることをさらに確実に防止することができる。
【００１３】
請求項３の発明によれば、静止画表示中に操作キーが操作されたとき、静止画が子画面に表示されるので、静止画表示の不用意な解除を防止するとともに、静止画表示状態を保持したままで動画像を視聴することができるようになり、映像表示装置の利便性を向上させることができる。
【００１４】
請求項４の発明によれば、静止画状態を子画面に表示させて動画像を視聴可能にした状態から、所定の操作キーを操作して静止画を全画面表示させることにより、静止画を詳細に見ることができるようにすることができ、映像表示装置の利便性をさらに向上させることができる。
【００１５】
請求項５の発明によれば、静止画を子画面に表示させたとき、操作案内表示において静止画表示の解除方法が示されるので、解除方法を知らないユーザでも、必要に応じて、簡易に静止画表示を解除させることが可能である。従って、映像表示装置をより扱いやすくすることができる。
【発明を実施するための最良の形態】
【００１６】
以下、本発明の一実施形態について図面を参照して説明する。図１は、本実施形態に係るテレビジョン放送受像機（映像表示装置；以下、受像機と称する）を示す。受像機１は、例えば液晶表示パネル又はプラズマ表示パネルである表示画面（表示部）１１と、表示画面１１を駆動する駆動部１２と、音声を出力可能なスピーカ１３と、受像機１の各部の動作を制御する制御部１４と、外部のアンテナに接続され、このアンテナにより受信されるテレビジョン放送の所望の番組を選局するチューナ１６と、受像機１の筐体外部に露出するように設けられた端子部１７と、装置本体とは別体となるリモートコントローラ（操作部）９から送信された操作信号を受信する受信部１８等で構成されている。受像機１は、制御部１４による制御に基づき、例えばチューナ１６により選局されたテレビジョン放送番組や、後述するような、端子部１７に接続された外部の入力機器から入力される画像・音声等を、表示画面１１やスピーカ１３を介して視聴可能にすることができるように構成されている。端子部１７は、例えばＤＶＤレコーダ５０等の外部機器に、ＨＤＭＩ（High-Definition Multimedia Interface）ケーブル５１等を介して接続される。
【００１７】
制御部１４は、例えば、ＣＰＵ、メモリ、画像処理回路、音声処理回路等で構成されている。制御部１４は、チューナ１６により選局された番組の映像信号や、例えば端子部１７に接続されたＤＶＤレコーダ５から入力された映像信号等に基づいて、駆動部１２を制御し、表示画面１１に当該信号に基づく動画像を表示させる。本実施形態において、制御部１４は、後述するようにユーザによる所定の指示があったときに、そのとき表示されている動画像の１フレーム分の画像を静止画として表示画面１１に表示させる静止画制御部１５を有している。静止画制御部１５は、表示させる静止画を保持するためのメモリ１５ａを有しており、静止画表示中には、保持された静止画が表示されるように駆動部１２を制御する。また、制御部１４は、現在視聴可能にしているテレビジョン放送局の番号や番組・画像の情報等を表示画面１１上に表示されている画像と共にＯＳＤ（On-Screen Display）表示させる状態表示部１５ｂを有している。そのほか、制御部１４は、ＰｉｎＰ回路（図示せず）を有しており、表示画面１１中に表示させる画像の一部に、当該画像とは別の映像を表示するための子画面を表示させるいわゆるＰｉｎＰ（Picture in Picture）機能を実行可能に構成されている。制御部１４は、受信部１８により受信された操作信号に基づいて、例えば受信する番組の選択、チューナ１６からと外部の入力機器からとの入力系統の切り替え、スピーカ１３から出力する音量の調整等、受像機１の種々の動作の制御を行うように構成されている。
【００１８】
受像機１の操作は、リモートコントローラ９を用いて行うことができる。本実施形態において、リモートコントローラ９には、複数の操作キー９０がユーザにより押下操作可能に設けられている。操作キー９０としては、例えば、チューナ１６の選局を変更するための選局キー９１と、上記静止画表示をさせるための静止画キー９２と、その他、スピーカ１３から出力する音量を調節するためのキー等種々の操作をおこうなうためのキーが設けられている。ユーザによりこれらの操作キー９０が押下操作されると、その操作された操作キー９０に応じて、操作信号がリモートコントローラ９から受像機１に送信される。受像機１では、受信部１８によりこの操作信号が受信され、その操作信号に基づき、制御部１４により、操作された操作キー９０に対応する制御が行われる。例えば、操作キー９０のうち、静止画キー９２が押下操作された場合には、制御部１４において、静止画制御部１５により静止画表示が行われる。
【００１９】
以下に、本実施形態における静止画表示機能について、図２及び図３（ａ）（ｂ）（ｃ）（ｄ）を参照して説明する。図２は、受像機１の静止画表示機能の流れを示す。図３（ａ）（ｂ）（ｃ）（ｄ）は、静止画表示中の受像機１の表示画面１１の表示内容を示す。先ず、ユーザにより静止画キー９２が押下操作されると（Ｓ１１）、静止画制御部１５により、その時点で表示画面１１に表示されている動画像の１フレーム分の画像がメモリ１５ａに記憶され、図３（ａ）に示すように、その画像が静止画Ｐｓとして表示画面１１に全画面表示される（Ｓ１２）。この状態で、静止画キー９２が所定時間（例えば、１秒間）連続して押下操作されると（Ｓ２１：ＹＥＳ）、静止画制御部１５は全画面静止画表示を解除し、表示画面１１に動画像が表示される状態に戻る（Ｓ１５）。静止画Ｐｓが全画面表示されているとき、静止画キー９２が長押し操作されず（Ｓ２１：ＮＯ）、静止画キー９２が押下操作されたり（Ｓ２２：ＹＥＳ）又は選局キー９１等他の操作キー９０が押下操作されると（Ｓ２６：ＹＥＳ）、制御部１４は、ＰｉｎＰ機能を実行し、図３（ｂ）に示すように、全画面表示されている静止画Ｐｓを子画面Ｓに表示させ、主画面に動画像Ｐｍ１を表示させるＰｉｎＰ静止画表示を行う（Ｓ２３／Ｓ２７）。ここで、選局キー９１等他の操作キー９０が押下操作された場合には（Ｓ２６：ＹＥＳ）、制御部１４は、ＰｉｎＰ機能の実行と共に、選局を変更する等、操作された操作キー９０に対応した制御処理を行う（Ｓ２７）。
【００２０】
ここで、本実施形態において、ＰｉｎＰ静止画表示が行われた場合には、制御部１４は、図３（ｂ）に示すように、表示画面１１に操作案内表示Ｈを表示させるように構成されている（Ｓ２４）。本実施形態において、操作案内表示Ｈには、後述のような、静止画表示を解除するための操作方法及び子画面Ｓに表示される静止画Ｐｓを再び全画面静止画表示させるための操作方法が文字により示されている。操作案内表示Ｈは、例えば、状態表示部１５ｂによるＯＳＤ表示により表示画面１１中に表示される。操作案内表示Ｈは、表示されてから所定の表示時間（例えば、５秒間）が経過すると、非表示とされる。このように、操作案内表示Ｈが表示画面１１に表示されることにより、静止画表示の解除方法を知らないユーザでも、必要に応じて、簡易に静止画表示を解除させることが可能になり、受像機１が扱いやすくなる。なお、操作案内表示Ｈは、文字により操作方法を示すものに限られず、図形等の表示により操作方法を示すようなものであってもよい。また、ＰｉｎＰ静止画表示中には、操作案内表示Ｈが常に表示されるように構成されていてもよい。
【００２１】
ＰｉｎＰ静止画表示が行われているとき、静止画キー９２が所定時間（例えば、１秒間）連続して押下操作されると（Ｓ３１：ＹＥＳ）、全画面静止画表示中に当該操作が行われた場合と同様に、静止画表示が解除されると共に、ＰｉｎＰ機能も解除されて子画面Ｓの表示が行われなくなり、図３（ｃ）に示すように、表示画面１１に動画像Ｐｍ１が表示される状態に戻る（Ｓ１５）。また、静止画キー９２が長押し操作されず（Ｓ３１：ＮＯ）、静止画キー９２が押下操作された場合には（Ｓ３２：ＹＥＳ）、制御部１４は、ＰｉｎＰ機能を解除し、静止画Ｐｓを再び表示画面１１に全画面表示させる（Ｓ１２）。ＰｉｎＰ静止画表示が行われているとき、静止画キー９２が操作されず（Ｓ３１：ＮＯ，Ｓ３２：ＮＯ）、その他の操作キー９０が押下操作された場合には（Ｓ３６：ＹＥＳ）、制御部１４は、ＰｉｎＰ静止画表示を維持しつつ、操作された操作キー９０に対応する制御処理を行うと共に（Ｓ３７）、操作案内表示Ｈの表示を行う（Ｓ２４）。例えば、図３（ｂ）に示すようなＰｉｎＰ静止画表示中に、選局キー９１が押下されると、静止画Ｐｓが表示される子画面Ｓは維持されたままで、主画面にて表示されていた動画像Ｐｍ１が、図３（ｄ）に示すように、別の番組の動画像Ｐｍ２へと変更される。そして、それと共に、操作案内表示Ｈが所定の表示時間（例えば、５秒間）だけ表示画面１１中に表示される。なお、全画面静止画表示又はＰｉｎＰ静止画表示を行っているときに受像機１の電源がオフとされると、次回に電源がオンとされたときには、これら静止画表示は解除された状態となる。
【００２２】
このように、本実施形態においては、静止画キー９２が所定時間連続して押下操作されたときに静止画表示が解除されるので、静止画表示中に不用意に操作キー９０が操作されて静止画表示が解除されることを防止することができる。また、全画面静止画表示中に操作キー９０が操作されたとき、ＰｉｎＰ機能が実行されて静止画Ｐｓが子画面Ｓに表示されるので、大容量で高価なメモリを搭載しなくても、静止画表示状態を保持したままで、動画像Ｐｍ１，Ｐｍ２を視聴することができるようになる。さらにまた、ＰｉｎＰ静止画表示を行っているとき、静止画キー９２を操作して静止画Ｐｓを再び全画面表示させることができるので、一旦ＰｉｎＰ静止画表示とした後でも再度静止画Ｐｓを詳細に見ることができるようにすることができ、受像機１の利便性をさらに向上させることができる。
【００２３】
なお、本発明は、上記実施形態の構成に限定されるものではなく、発明の趣旨を変更しない範囲で適宜に種々の変形が可能である。例えば、全画面静止画表示中又はＰｉｎＰ静止画表示中において、選局キー９１等、静止画キー９２の他の操作キー９０が長押し操作された場合に、制御部１４が、その静止画表示を解除するように構成されていてもよい。このような場合であっても、静止画表示中に不用意に操作キー９０が操作されて静止画表示が解除されることを防止することができる。また、操作キーは、受像機の本体に一体に設けられた操作部に設けられていてもよい。さらにまた、本発明は、テレビジョン放送受像機に限られず、チューナ等を有していない映像表示装置や、スクリーンに画像を投影することにより画像を表示するプロジェクタ等にも適用可能である。
【図面の簡単な説明】
【００２４】
【図１】本発明の一実施形態に係るテレビジョン放送受像機の一例を示すブロック図。
【図２】上記受像機の静止画表示機能の動作の流れを示すフローチャート。
【図３】（ａ）は全画面静止画表示中の表示画面の表示内容の一例を示す図、（ｂ）はＰｉｎＰ静止画表示中の表示画面の表示内容の一例を示す図、（ｃ）は静止画表示が解除された状態の表示画面の表示内容の一例を示す図、（ｄ）は（ｂ）の状態から選局を変更したときの表示画面の表示内容の一例を示す図。
【符号の説明】
【００２５】
１  テレビジョン放送受像機（映像表示装置）
９  リモートコントローラ（操作部）
１１  表示画面（表示部）
１４  制御部
１５  静止画制御部
９０  操作キー
９１  選局キー
９２  静止画キー
Ｈ  操作案内表示
Ｐｓ  静止画
Ｐｍ１，Ｐｍ２  動画像
Ｓ  子画面
【図１】
2009049610.tif 000003
【図２】
2009049610.tif 000004
【図３】
2009049610.tif 000005